(57)【特許請求の範囲】
【請求項１】
遊技盤の前面に形成された遊技領域を流下する遊技球が進入可能な進入口と、前記進入口よりも下方に設けられ、前記進入口から進入してきた遊技球を排出する２つの排出口と、前記進入口と両前記排出口との間に設けられ、前記進入口から進入してきた遊技球を、一方の前記排出口に連通する第１経路と他方の前記排出口に連通する第２経路との何れか一方に振り分ける振分部材とを備えた振分装置が設置されている一方、
両前記排出口に夫々設けられ、遊技球の各前記排出口の通過を検出する遊技球検出手段と、前記遊技領域を流下する遊技球が入賞可能であるとともに開閉動作する可動部を備えた可動入賞手段と、前記遊技球検出手段での遊技球の検出に伴い抽選を実行し、当該抽選の結果が所定の結果であると前記可動部を開動作させ、前記可動入賞手段を遊技球が入賞しやすい状態とする制御手段とが設置されてなるパチンコ機であって、
前記振分部材は、その姿勢を多段階で周期的に変更可能となっており、進入してきた遊技球に押圧されることによって、前記姿勢を一段階変更するとともに、
前記多段階のうちの少なくとも１つの段階において、前記振分部材は遊技球を前記第１経路へ進めさせる第１姿勢をとり、残りの段階において前記第２経路へ進めさせる複数の第２姿勢をとる一方、
遊技球が前記第１経路の前記排出口を通過した場合と、前記第２経路の前記排出口を通過した場合とで、前記可動入賞手段の前記可動部が開動作する確率が異なることを特徴とするパチンコ機。
【請求項２】
前記振分部材を所定方向へ回転可能に取り付けるとともに、付勢力によって前記振分部材の回転動作を規制する付勢部材を設けており、
前記振分部材は、遊技球に押圧されることにより前記付勢部材の付勢力に抗して回転するとともに、前記遊技球が前記振分部材から離れて前記第１経路又は前記第２経路へ進むことにより前記付勢部材の付勢力で回転を停止することによって、前記姿勢を一段階変更する一方、
前記振分部材に、前記第１経路側へ突出して前記第１経路への遊技球の進入を阻止する第１阻止部と、前記第２経路側へ突出して前記第２経路への遊技球の進入を阻止する第２阻止部とを設けており、
前記第１姿勢は、前記第２阻止部が前記第２経路側へ突出する姿勢である一方、前記第２姿勢は、前記第１阻止部が前記第１経路側へ突出する姿勢であることを特徴とする請求項１に記載のパチンコ機。
【発明の詳細な説明】
【技術分野】
【０００１】
本発明は、遊技領域へ遊技球を打ち込んで遊技するパチンコ機に関するものである。
【背景技術】
【０００２】
従来、遊技領域内における遊技球の流下経路を第１経路又は第２経路へ振り分ける振分装置を備えてなるパチンコ機が種々考案されている。そして、そのような振分装置としては、たとえば特許文献１や特許文献２に開示されているようなものがある。特許文献１に開示されている振分装置は、最も一般的な振分装置の１つであって、周面に複数の球受け部を備えた円柱状の振分部材をモータによって回転させており、遊技球を受け入れた球受け部の違いによって、当該遊技球を第１経路又は第２経路へ振り分けるように構成されている。また、特許文献２に開示されている振分装置は、分岐流路を備えているとともに、当該分岐流路の分岐点にモータにより揺動して第２経路を開閉する振分部材を設置している一方、分岐流路へ進入する遊技球をセンサでカウントしており、振分装置の分岐流路へ所定個数の遊技球が進入するまでは遊技球を第１経路へ流下させるとともに、所定個数に達すると振分部材を揺動させて第２経路を開放し、遊技球を第２経路へも流下可能とするように構成されている。
【先行技術文献】
【特許文献】
【０００３】
【特許文献１】特開２０１０−９４３２５号公報
【特許文献２】特開２００６−４３２１６号公報
【発明の概要】
【発明が解決しようとする課題】
【０００４】
しかしながら、特許文献１に開示されている振分装置によれば、遊技球を振り分けるために振分部材を回転させるためのモータ等が必要になるため、装置の大型化がさけられず、設置スペースに問題が生じるし、部品点数が増えることによるコスト高となるという問題もある。また、遊技球がどの球受け部に受け入れられるか、すなわち第１経路又は第２経路の何れの経路へ振り分けられるかは偶然による（抽選していると見なすこともできる）ため、たとえば所定個数の遊技球が振分装置へ進入したという所定条件の充足をもって、遊技球を特定の経路へと振り分けるといった遊技に対応することができない。
【０００５】
一方、特許文献２に開示されている振分装置によれば、所定条件の充足をもって遊技球を第２経路へと振り分けるといった遊技に対応することは可能である。しかしながら、特許文献１に開示されている振分装置と同様、振分部材をモータにより作動させているため、モータを要することによる装置の大型化や高コスト化といった問題がある。
【０００６】
そこで、本発明は、上記問題に鑑みなされたものであって、モータ等を必要とすることなく振分部材を作動させて遊技球を振り分けることができる上、所定条件の充足をもって遊技球を特定経路へと振り分けるといった遊技に対応することが可能な振分装置を備えたパチンコ機を提供しようとするものである。
【課題を解決するための手段】
【０００７】
上記目的を達成するために、本発明のうち請求項１に記載の発明は、遊技盤の前面に形成された遊技領域を流下する遊技球が進入可能な進入口と、前記進入口よりも下方に設けられ、前記進入口から進入してきた遊技球を排出する２つの排出口と、前記進入口と両前記排出口との間に設けられ、前記進入口から進入してきた遊技球を、一方の前記排出口に連通する第１経路と他方の前記排出口に連通する第２経路との何れか一方に振り分ける振分部材とを備えた振分装置が設置されている一方、両前記排出口に夫々設けられ、遊技球の各前記排出口の通過を検出する遊技球検出手段と、前記遊技領域を流下する遊技球が入賞可能であるとともに開閉動作する可動部を備えた可動入賞手段と、前記遊技球検出手段での遊技球の検出に伴い抽選を実行し、当該抽選の結果が所定の結果であると前記可動部を開動作させ、前記可動入賞手段を遊技球が入賞しやすい状態とする制御手段とが設置されてなるパチンコ機であって、前記振分部材は、その姿勢を多段階で周期的に変更可能となっており、進入してきた遊技球に押圧されることによって、前記姿勢を一段階変更するとともに、前記多段階のうちの少なくとも１つの段階において、前記振分部材は遊技球を前記第１経路へ進めさせる第１姿勢をとり、残りの段階において前記第２経路へ進めさせる複数の第２姿勢をとる一方、遊技球が前記第１経路の前記排出口を通過した場合と、前記第２経路の前記排出口を通過した場合とで、前記可動入賞手段の前記可動部が開動作する確率が異なることを特徴とする。
請求項２に記載の発明は、請求項１に記載の発明において、前記振分部材を所定方向へ回転可能に取り付けるとともに、付勢力によって前記振分部材の回転動作を規制する付勢部材を設けており、前記振分部材は、遊技球に押圧されることにより前記付勢部材の付勢力に抗して回転するとともに、前記遊技球が前記振分部材から離れて前記第１経路又は前記第２経路へ進むことにより前記付勢部材の付勢力で回転を停止することによって、前記姿勢を一段階変更する一方、前記振分部材に、前記第１経路側へ突出して前記第１経路への遊技球の進入を阻止する第１阻止部と、前記第２経路側へ突出して前記第２経路への遊技球の進入を阻止する第２阻止部とを設けており、前記第１姿勢は、前記第２阻止部が前記第２経路側へ突出する姿勢である一方、前記第２姿勢は、前記第１阻止部が前記第１経路側へ突出する姿勢であることを特徴とする。
【発明の効果】
【０００８】
本発明によれば、振分部材は、その姿勢を多段階で周期的に変更可能となっており、進入してきた遊技球に押圧されることによって、姿勢を一段階変更するとともに、多段階のうちの少なくとも１つの段階において、振分部材は遊技球を第１経路へ進めさせる第１姿勢をとり、残りの段階において第２経路へ進めさせる複数の第２姿勢をとるように構成している。したがって、従来の振分装置と比較してモータ等の駆動装置を必要とせず、部品点数の削減に伴う低コスト化、及び振分装置の小型化やモータの設置スペースが必要ないことによる設計自由度の向上等といった効果がある。また、第１経路又は第２経路の何れの経路へ振り分けられるかを抽選で決める等していないため、所定個数の遊技球が振分装置へ進入したという所定条件の充足をもって、再び遊技球を第１経路へと振り分けるといった遊技に対応することができる。
また、請求項２に記載の発明によれば、振分部材を所定方向へ回転可能に取り付けるとともに、付勢力によって振分部材の回転動作を規制する付勢部材を設けており、振分部材は、遊技球に押圧されることにより付勢部材の付勢力に抗して回転するとともに、遊技球が振分部材から離れて第１経路又は第２経路へ進むことにより付勢部材の付勢力で回転を停止することによって、その姿勢を一段階変更するように構成している。さらに、振分部材に、第１経路側へ突出して第１経路への遊技球の進入を阻止する第１阻止部と、第２経路側へ突出して第２経路への遊技球の進入を阻止する第２阻止部とを設けており、第１姿勢を、第２阻止部が第２経路側へ突出する姿勢とする一方、第２姿勢を、第１阻止部が第１経路側へ突出する姿勢としている。したがって、複雑な構造を採用することなく、少ない部品点数による簡素な構造で確実に遊技球を振り分けることができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】振分装置を前方から示した説明図である。
【図５】振分装置の外観を示した斜視説明図である。
【図６】振分装置を分解して示した斜視説明図である。
【図７】振分装置の振分部材を拡大して示した斜視説明図である。
【図８】振分装置のＡ−Ａ線断面説明図であり、振分部材が進入してきた遊技球を第１経路へ振り分ける回転姿勢にある状態を示している。
【図９】振分装置のＡ−Ａ線断面説明図であり、振分部材が第２姿勢をとっている状態を示している。
【図１０】振分装置のＡ−Ａ線断面説明図であり、振分部材が図９に示す姿勢から一段階姿勢を変更し、第１姿勢をとった状態を示している。
【図１１】振分装置のＡ−Ａ線断面説明図であり、振分部材が図１０に示す姿勢から一段階姿勢を変更し、第２姿勢をとった状態を示している。
【図１２】振分装置のＡ−Ａ線断面説明図であり、振分部材が図１１に示す姿勢から一段階姿勢を変更し、第２姿勢をとった状態を示している。
【図１３】振分装置のＡ−Ａ線断面説明図であり、振分部材が図１２に示す姿勢から一段階姿勢を変更し、第２姿勢をとった状態を示している。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる図柄を表示するための図柄表示部６が設けられている。さらに、図柄表示部６を囲むように種々の電動役物を備えたセンター部材２６が遊技盤２に設置されており、該センター部材２６の左方には、後述する振分装置３０と、遊技球が通過可能な２つのゲート部材１９、２０とが設けられている。加えて、遊技領域１６には、一対の爪片を開閉動作可能に備えたチューリップ式電動役物１７、開閉可能な扉部材を有する大入賞装置１８や多数の遊技釘等が設置されている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に図柄を表示させるための液晶表示装置、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や発光制御装置等の動作を統合的に制御するとともに、センター部材２６に設けられた電動役物の作動を制御するサブ制御装置（図示せず）等が設置されている。尚、２２は、パチンコ機１をトランスに接続するためのプラグであり、２７は、アースである。
【００１５】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置にて「大当たり抽選」を行う。該「大当たり抽選」は、乱数から１つの数値を取得する態様で行われ、取得した数値に応じて「大当たり」であるか「外れ」であるかを決定する。該「大当たり抽選」の結果、「大当たり」である場合には、図柄表示部６において所定の変動時間だけ図柄を変動表示させた後、所定の「大当たり図柄」（たとえば、「７、７、７」等）を確定表示させる。さらに確定表示後、大入賞装置１８の扉部材を所定回数にわたって断続的に開成させるといった所謂「大当たり状態」を生起させる。
【００１６】
また、遊技領域１６内を流下する遊技球が振分装置３０に進入すると、該遊技球は振分装置３０内で後述するように６個の遊技球うち５個の遊技球は左側の排出口３１へ、１個の遊技球は右側の排出口３２へ（図４に示す）夫々振り分けられて排出される。そして、左側の排出口３１から排出された遊技球は、その下方に設置されているゲート部材１９を、右側の排出口３２から排出された遊技球は、その下方に設置されているゲート部材２０を夫々通過する。一方、メイン制御装置では、遊技球のゲート部材１９、２０の通過を検出すると、乱数から１つの数値を取得し、取得した数値に応じて「当たり」であるか「外れ」であるかを決定する「当たり抽選」を実行する。そして、「当たり抽選」の結果、「当たり」である場合には、チューリップ式電動役物１７に備えられた一対の翼片を所定時間（たとえば２秒間）にわたって開動作させ、チューリップ式電動役物１７へ遊技球が入賞しやすい状態とする。尚、上記「当たり抽選」において「当たり」となる確率は、ゲート部材１９、２０毎に設定されており、ゲート部材１９を通過した場合には１／２０の確率で「当たり」となる一方、ゲート部材２０を通過した場合には１／４の確率で「当たり」となるように夫々設定されている。
【００１７】
（振分装置の構造）
ここで、本発明の要部となる振分装置３０について、まず振分装置３０の構造を図４〜図７にもとづき詳細に説明する。
図４は、振分装置３０を前方から示した説明図であり、図５は、振分装置３０の外観を示した斜視説明図である。図６は、振分装置３０を分解して示した斜視説明図であり、図７は、振分装置３０の振分部材３３を拡大して示した斜視説明図である。
【００１８】
振分装置３０は、進入口３４を介して本体ケース３５内部へ進入した遊技球を振分部材３３によって振り分け、左側の排出口３１又は右側の排出口３２の何れか一方から排出する装置であって、前ケース３５ａ及び後ケース３５ｂからなる本体ケース３５と、振分部材３３を有して本体ケース３５内に収納される振分部３６と、遊技球を検出する３つのセンサ３７、３８、３９とからなる。後ケース３５ｂは、前面に開口する箱状体であって、前面開口の開口縁には、振分装置３０を遊技盤２に固定するための取付部４０が鍔状に設けられている。また、後ケース３５ｂの上部は、振分部３６を収納可能な収納部４１とされており、該収納部４１の下端前縁から連続して下方へ第１経路４３及び第２経路４２が八の字状に設けられている。さらに、後ケース３５ｂの上面には、進入口３４を介して本体ケース３５内部へ進入する遊技球を検出するためのセンサ３７の後部を保持するセンサ保持部４４が設けられている一方、第１経路４３及び第２経路４２の下流端の更に下方となる位置には、第１経路４３又は第２経路４２を介して左側の排出口３１又は右側の排出口３２から排出される遊技球を検出するためのセンサ３８、３９の後部を保持するセンサ保持部４５、４５が夫々設けられている。
【００１９】
また、前ケース３５ａは、後ケース３５ｂの前面に組み付けられるカバー部材であって、前ケース３５ａの上面で、後ケース３５ｂに組み付けた際にセンサ保持部４４の前方となる位置には進入口３４が開設されているとともに、前ケース３５ａの後面で進入口３４の下方には、センサ３７の前部が嵌入する保持凹部４７（図８に示す）が設けられている。さらに、前ケース３５ａの下面で、後ケース３５ｂに組み付けた際にセンサ保持部４５、４５の前方となる位置には左側の排出口３１及び右側の排出口３２が開設されているとともに、前ケース３５ａの後面で各排出口３１、３２の上方には、振分部３６で第１経路４３又は第２経路４２へ振り分けられた遊技球を左側の排出口３１又は右側の排出口３２へ導くための排出路４８、及びセンサ３８、３９の前部が嵌入する保持凹部（図示せず）が設けられている。
【００２０】
一方、振分部３６は、振分部材３３と、振分部材３３を回転させるための軸４９と、第１経路４３側と第２経路４２側とに仕切る仕切り板５０と、振分部材３３の回転動作を規制するバネ部材５１と、左右一対のケース体からなるケース部材５２とからなる。ケース部材５２は、軸４９を回転可能に軸支するとともに振分部材３３やバネ部材５１を内蔵するものであって、その側面内側には軸４９を軸支するための軸支部５４が、後面内側にはバネ部材５１を支持するバネ支持部５５が夫々設けられている。また、ケース部材５２の前面内側の上部には、収納部４１へ収納した際に進入口３４と連通し、進入口３４を介して進入した遊技球を振分部材３３へ導くための誘導路４６が設けられている。さらに、ケース部材５２の下面は開口しており、収納部４１へ収納すると当該開口が第１経路４３及び第２経路４２と連通するようになっている。
【００２１】
バネ部材５１は、前後方向へ長い帯状の板バネであって、後端をバネ支持部５５に支持させ、前端を後述する振分部材３３の凹状面内に当接させた状態でケース部材５２内に取り付けられている。尚、バネ部材５１の付勢力は、遊技球の重力よりは弱い力とされている。
仕切り板５０は、ケース部材５２の下面開口を左右で第１経路４３側と第２経路４２側とに仕切る板状部材であって、振分部材３３の下方に隣接して取り付けられており、振分部３６を収納部４１に収納すると、仕切り板５０によって仕切られた下面の開口の左側は第２経路４２に、右側は第１経路４３に夫々連通するようになっている。
【００２２】
振分部材３３は、各側面（周面）が夫々凹状面に形成された正六角柱体であって、中心線に沿って軸４９を挿通可能な軸孔５４が穿設されている。また、振分部材３３の軸方向で一方側の端縁には、第１阻止壁５６が６つの側面のうち５つの側面にわたって（中心角度３００度の範囲で）鍔状に設けられている。さらに、振分部材３３の他方側であって、第１阻止壁５６が唯一設けられていない側面における端縁には、第２阻止壁５７が鍔状に設けられている。そして、振分部材３３は、軸孔５４へ軸４９を挿通させた状態で、ケース部材５２内において左右方向を軸として回転可能に設置されており、上記バネ部材５１の押圧力によって、６つの側面のうちの何れかを誘導路４６の下流端に対向させた姿勢で停止している。また、第１阻止壁５６又は第２阻止壁５７の何れか一方が、仕切り板５０によって仕切られた下面開口の対応する側の開口内へ入り込むことで、第１経路４３又は第２経路４２の対応する側へしか遊技球を進入させない（第１阻止壁５６又は第２阻止壁５７が入り込んだ側の開口への遊技球の進入を阻止する）ようになっている。
【００２３】
（振分装置の作用）
次に、以上のような構成を有する振分装置３０の作用、すなわち遊技球の振分動作について、図８〜図１３をもとに説明する。図８〜図１３は、それぞれ振分部材３３の回転姿勢が異なる状態を示した断面説明図である。
まず図８に示すように、振分部材３３が、第２阻止壁５７を有する凹状面が誘導路４６の下流端に対向するような姿勢で停止していたとする。当該状態にある振分装置３０に対し、遊技領域１６を流下する遊技球が進入口３４から振分装置３０内部へ進入すると、当該遊技球は誘導路４６により導かれた後、誘導路４６の下流端から放出される。そして、放出された遊技球は、振分部材３３の凹状面（ここでは、第２阻止壁５７を有する凹状面）に衝突して凹状面で受け止められた後、重力によって振分部材３３を下方へ押圧する。すると、振分部材３３は、バネ部材５１の付勢力に抗して回転し、凹状面で受け止めている遊技球を下面開口側へ移動させる。このとき、振分部材３３の回転に伴い第２阻止壁５７が第２経路４２と連通する側の開口内へ入り込み、振分部材３３が、第２経路４２への遊技球の進入を阻止するとともに第１経路４３への遊技球の進入を許容する第１姿勢をとるため、遊技球は第１経路４３と連通する側の開口から排出される。したがって、遊技球は第１経路４３及び第１経路４３と連通する排出路４８を介して、右側の排出口３２から振分装置３０外部へと排出される。そして、右側の排出口３２の下方に設置されたゲート部材２０を通過する。一方、振分部材３３は、遊技球が凹状面から離れるに伴い、バネ部材５１の付勢力によって上記排出時の姿勢、すなわち第２阻止壁５７を有する凹状面の回転方向で後隣にある第１阻止壁５６を有する凹状面を誘導路４６の下流端に対向させた姿勢（図９に示す姿勢）で停止する。
【００２４】
その後、振分部材３３が図９に示すような姿勢にある振分装置３０に対して、遊技球が進入すると、誘導路４６の下流端から放出された遊技球は、上記同様に誘導路４６の下流端に対向する凹状面で受け止められた後、重力によって振分部材３３を下方へ押圧する。すると、振分部材３３は、上記同様にバネ部材５１の付勢力に抗して回転し、凹状面で受け止めている遊技球を下面開口側へ移動させる。しかしながら、今回は、回転に伴って第１阻止壁５６が第１経路４３と連通する側の開口内へ入り込み、振分部材３３が、第１経路４３への遊技球の進入を阻止するとともに第２経路４２への遊技球の進入を許容する第２姿勢をとるため、遊技球は第２経路４２と連通する側の開口から排出される。したがって、第２経路４２及び第２経路４２と連通する排出路４８を介して、左側の排出口３１から振分装置３０外部へと排出される。そして、左側の排出口３１の下方に設置されたゲート部材１９を通過する。一方、振分部材３３は、遊技球が凹状面から離れるに伴い、バネ部材５１の付勢力によって上記排出時の姿勢、今度は上記凹状面の回転方向で後隣にある第１阻止壁５６を有する凹状面を誘導路４６の下流端に対向させた姿勢（図１０に示す姿勢）で停止する。
【００２５】
以降、振分装置３０では、遊技球が進入する度に、図１０〜図１３に示す如く振分部材３３が遊技球による押圧及びバネ部材５１の付勢力によって上記同様段階的に回転し、振分部材３３が一回転して図８に示す姿勢に復帰するまで４個の遊技球を連続して第２経路４２へと振り分け（第１経路４３へと振り分けた後からカウントすると、合計５個の遊技球を連続して第２経路４２へと振り分け）、左側の排出口３１から排出させる。そして、振分部材３３が図８に示す姿勢へと復帰すると、次に進入してきた遊技球を再び第１経路４３へと振り分け、更にその後は、進入する遊技球を５個まで連続して再び第２経路４２へと振り分けるといった動作を周期的に繰り返す。すなわち、振分部材３３は、自身の回転姿勢を多段階で周期的に変更可能となっており、遊技球が進入してくる度に回転姿勢を一段階ずつ変更するようになっている。そして、複数ある回転姿勢のうちの１つの姿勢が第１経路４３への遊技球の進入のみを許容する第１姿勢（図９に示す姿勢）であり、他の姿勢が第２経路４２への遊技球の進入のみを許容する第２姿勢（図８、及び図１０〜図１３に示す姿勢）となっている。
【００２６】
（本実施形態のパチンコ機による効果）
以上のようなパチンコ機１によれば、振分部材３３が、その姿勢を多段階で周期的に変更可能に、且つ、振分装置３０内へ進入してきた遊技球により振分部材３３が押圧されることで一段階ずつ変更可能となっている。そして、その姿勢の変更に伴い、第１阻止壁５６又は第２阻止壁５７が第１経路４３と第２経路４２との何れか一方の対応する経路への当該遊技球の進入を阻止し、開放している側の経路へと進入させる、すなわち遊技球を第１経路４３と第２経路４２との何れかに振り分けるように構成している。したがって、従来の振分装置と比較してモータ等の駆動装置を必要とせず、部品点数の削減に伴う低コスト化、及び振分装置３０の小型化やモータの設置スペースが必要ないことによる設計自由度の向上等といった効果がある。
【００２７】
また、振分装置３０では、遊技球を第１経路４３へと振り分けた後、遊技球が５個進入するまで、遊技球を連続して第２経路４２へと振り分けるように構成されている。したがって、第１経路又は第２経路の何れの経路へ振り分けられるかを抽選で決めたり偶然によらせたりしていないため、所定個数（ここでは５個）の遊技球が振分装置３０へ進入したという所定条件の充足をもって、再び遊技球を第１経路へと振り分けるといった遊技に対応することができる。
【００２８】
さらに、振分部材３３を回転可能に軸支するとともに、付勢力によって振分部材３３の回転動作を規制するバネ部材５１を設けており、振分部材３３は、遊技球に押圧されることによりバネ部材５１の付勢力に抗して回転するとともに、遊技球が振分部材３３から離れて第１経路４３又は第２経路４２へ進むことによりバネ部材５１の付勢力で回転を停止することによって、その姿勢を一段階変更するように構成している。また、振分部材３３に、第１経路４３側へ突出して第１経路４３への遊技球の進入を阻止する第１阻止壁５６と、第２経路４２側へ突出して第２経路４２への遊技球の進入を阻止する第２阻止壁５７とを夫々鍔状に備えており、回転して姿勢を変更した際に、どちらの阻止壁５６、５７が対応する経路４２、４３側へ突出して遊技球の進入を阻止する位置にあるかの違いによって遊技球の振分を可能としている。したがって、複雑な構造を採用することなく、少ない部品点数による簡素な構造で確実に遊技球を振り分けることができる。
【００２９】
（本発明の変更例）
なお、本発明のパチンコ機に係る構成は、上記実施形態に何ら限定されるものではなく、パチンコ機全体の構成、振分装置の構造や振分装置の下方にどのような部材を設けるのか等について、本発明の趣旨を逸脱しない範囲で必要に応じて適宜変更可能である。
【００３０】
たとえば、上記実施形態では、６個のうち１個の遊技球を第１経路４３へ、他の５個の遊技球を第２経路４２へ夫々振り分けるように構成しているが、第１阻止壁５６及び第２阻止壁５７の設置位置等を変更することにより、６個のうち所定の２個の遊技球を第１経路４３へ、他の４個の遊技球を第２経路４２へ夫々振り分けるような構成とすることも可能である。また、言うまでもなく４個のうち１個の遊技球を第１経路４３へ、他の３個の遊技球を第２経路４２へ夫々振り分けるように構成することも可能であり、遊技球の振分パターンについては適宜変更可能であるし、振分部材３３の形状についても振分パターン等に応じて適宜設計変更可能である。
【００３１】
また、遊技球が振分部材３３から離れた後に振分部材３３の回転を停止させるためのバネ部材５１として、上記実施形態では先端が振分部材３３の周面に当接する板バネを採用しているが、軸４９に嵌装させたコイルバネ等、他のバネ部材を採用することも可能である。
さらに、上記実施形態では、振分部材３３の軸方向で両端に鍔状に設けた第１阻止壁５６及び第２阻止壁５７を第１阻止部及び第２阻止部としているが、鍔状の各阻止壁５６、５７に代えて、各凹状面の端部から棒状の突起を放射状に配設して第１阻止部及び第２阻止部としてもよいし、第１経路４３や第２経路４２に連通する開口内へ進入して遊技球の進入を阻止するのではなく、第１経路４３や第２経路４２の入口を被覆することにより各経路４２、４３への遊技球の進入を阻止するように第１阻止部及び第２阻止部を構成することも可能である。
【００３２】
さらにまた、上記実施形態では、振分装置３０の各排出口３１、３２の下方に夫々ゲート部材１９、２０を設けているが、ゲート部材の代わりに入賞装置を設けることも可能である。そして、該入賞装置への入賞に伴い「大当たり抽選」を行うようにし、左側の入賞装置へ入賞した（左側の排出口３１から排出された）場合よりも、右側の入賞装置へ入賞した（右側の排出口３２から排出された）場合の方が「大当たり」となる確率が高くなっているようなパチンコ機としても何ら問題はない。
またさらに、振分装置３０の遊技領域１６内での設置位置についても適宜変更可能であって、センター部材２６の下方に、チューリップ式電動役物１７に代えて振分装置３０及び２つの入賞装置を設けてもよい。
加えて、進入口３４へ流入する遊技球をセンサ３７で検出すると、振動検出センサをＯＮとし、パチンコ機に対して衝撃を加える等の不正行為が行われていないかを検出するように構成してもよい。
【符号の説明】
【００３３】
１・・パチンコ機、２・・遊技盤、１６・・遊技領域、３０・・振分装置、３１・・左側の排出口、３２・・右側の排出口、３３・振分部材、３４・・進入口、３５・・本体ケース、３６・・振分部、３７、３８、３９・・センサ、４２・・第２経路、４３・・第１経路、４６・・誘導路、４８・・排出路、４９・・軸、５０・・仕切り板、５１・・バネ部材（付勢部材）、５２・・ケース部材、５４・・軸孔、５５・・バネ支持部、５６・・第１阻止壁（第１阻止部）、５７・・第２阻止壁（第２阻止部）。
【図１】
0005927383.tif 000002
【図２】
0005927383.tif 000003
【図３】
0005927383.tif 000004
【図４】
0005927383.tif 000005
【図５】
0005927383.tif 000006
【図６】
0005927383.tif 000007
【図７】
0005927383.tif 000008
【図８】
0005927383.tif 000009
【図９】
0005927383.tif 000010
【図１０】
0005927383.tif 000011
【図１１】
0005927383.tif 000012
【図１２】
0005927383.tif 000013
【図１３】
0005927383.tif 000014